(57)【特許請求の範囲】
【請求項１】
上端部が、階段用の傾斜した手摺りの下面に形成したホゾ穴に嵌入すると共に、下端部が、踏み板または踏み板に隣接して設けられたボーダーの上面に形成したホゾ穴に嵌入する子柱本体と、該子柱本体の円柱形状の略上半部に昇降自在及び回転自在に嵌装された筒状で、しかも上端面を前記手摺りの傾斜角度に対応した傾斜面とした上部装飾部材と、円柱形状の略下半部に昇降自在及び回転自在に嵌装された筒状の下部装飾部材を備え、さらに、前記上部装飾部材を、前記子柱本体から上方に抜き出し可能にし、前記上部装飾部材を前記子柱本体から抜き出して前記上部装飾部材の上端面を前記手摺りの傾斜角度に対応した傾斜面に切断した後、前記上部装飾部材を前記子柱本体に嵌装させてなる子柱を使用して階段の手摺りを取付ける方法であって、
階上と階下のそれぞれに親柱を立設して、該二本の親柱の間に、下面の所定箇所に複数のホゾ穴を形成した手摺りを掛け渡して取付けた後、
前記子柱本体の上端部を、前記手摺りのホゾ穴に嵌入した後、前記子柱本体の下端部を前記踏み板またはボーダーのホゾ穴に嵌入して、前記子柱を前記手摺りと踏み板またはボーダーとの間に取付け、
前記上部装飾部材を上側に持ち上げるように移動するとともに回転してその上部装飾部材の上端面を手摺りの下面の傾斜角度に対応した位置決め調整を行って、前記手摺りの下面に固定すると共に、前記下部装飾部材を下側に下げるように移動してその下部装飾部材の下端面を踏み板またはボーダーの上面に固定してなることを特徴とする手摺りの取付方法。
【請求項２】
上端部が、階段用の傾斜した手摺りの下面に形成したホゾ穴に嵌入すると共に、下端部が、踏み板または踏み板に隣接して設けられたボーダーの上面に形成したホゾ穴に嵌入する子柱本体と、該子柱本体の円柱形状の略上半部に昇降自在及び回転自在に嵌装された筒状で、しかも上端面を前記手摺りの傾斜角度に対応した傾斜面とした上部装飾部材と、円柱形状の略下半部に昇降自在及び回転自在に嵌装された筒状の下部装飾部材を備え、さらに、前記上部装飾部材を、前記子柱本体から上方に抜き出し可能にし、前記上部装飾部材を前記子柱本体から抜き出して前記上部装飾部材の上端面を前記手摺りの傾斜角度に対応した傾斜面に切断した後、前記上部装飾部材を前記子柱本体に嵌装させてなる子柱を使用して階段の手摺りを取付ける方法であって、
階下に親柱を立設するとともに、階上の壁に台座を取付け、前記親柱と台座の間に、下面の所定箇所に複数のホゾ穴を形成した手摺りを掛け渡して取付けた後、
前記子柱本体の上端部を、前記手摺りのホゾ穴に嵌入した後、前記子柱本体の下端部を前記踏み板またはボーダーのホゾ穴に嵌入して、前記子柱を前記手摺りと踏み板またはボーダーとの間に取付け、
前記上部装飾部材を上側に持ち上げるように移動するとともに回転してその上部装飾部材の上端面を手摺りの下面の傾斜角度に対応した位置決め調整を行って、前記手摺りの下面に固定すると共に、前記下部装飾部材を下側に下げるように移動してその下部装飾部材の下端面を踏み板またはボーダーの上面に固定してなることを特徴とする手摺りの取付方法。
【発明の詳細な説明】
【技術分野】
【０００１】
本発明は、住宅等の階段やバルコニーや吹き抜け部分に設置される手摺りの子柱、および当該子柱を備えた手摺りの取付方法に関するものである。
【背景技術】
【０００２】
例えば、住宅等の階段には、通常、手摺りを取り付けるが、木製の手摺りを取り付ける場合、その手摺りを構成する子柱は次のように製造され取り付けられている。
（１）子柱の製造
工場において無垢または集成材の丸棒または角材を加工して製造するが、丸棒や角材そのままではデザインに変化が少なく単調であるため、通常は「ロクロ」と称される加工装置で、それらを回転させながら様々な模様を形成する。また、角材の場合にも、丸棒と同様に横溝を数条加工する場合がある。更に、上下両端部を角材のような形状とし、中央部分を丸棒形状としたいわゆる折衷型も多く製造されている。
【０００３】
しかし、木材は人工林にて植林されたものであっても、いわゆる「生物」なので、節、割れ、腐れ、その他各種の欠点が含まれているのが一般的である。従って、鉄やプラスチック板のような完全均一材料を得るのは不可能である。手摺り用の子柱には長さ１ｍ程度で５０ｍｍ角程度の無欠点材が必要とされるが、この中に、節、割れ、腐れ等が一部に含まれているだけで、不良品とされる場合もあり、分留りが低いという問題がある。
【０００４】
（２）子柱の取付け
手摺りの取付けは、図１５（ａ），（ｂ）に示すように、施工現場で実際の住宅に合わせて１本ずつ鑿と金槌で子柱３０にホゾＴを形成した後、図１６に示すように、踏み板４（またはボーダー）に立設し、そのホゾＴを手摺り１の下面に形成したホゾ穴Ｈに嵌入して固定している。これは住宅によって階段の傾斜が微妙に異なるために、予め工場などで一定のホゾＴやホゾ穴Ｈを加工することが困難であるという理由による。
【０００５】
近年ではＣＡＤ等を用いて設計図からこの傾斜角度、間隔、その他の寸法を正確に算出し、コンピューターに連動した加工装置で正確に加工を行なうことも一般化しつつある。これによって現場での作業は大幅に軽減されている。
【０００６】
しかし、施工現場においては、最初に親柱２０を取付け、次いで子柱３０、最後に手摺り１を取付けるといった旧来の方法がそのまま行なわれている。具体的には以下の通りである。
ａ．親柱２０を取付ける。
ｂ．子柱３０の上下両端部にホゾＴを形成する。
ｃ．子柱３０下端部のホゾＴを、踏み板４上に予め形成したホゾ穴Ｈに嵌合する。
ｄ．子柱３０を全て取付けた後、手摺り１の下部に開けられたホゾ穴Ｈに、子柱３０上端部のホゾＴが嵌合するように合わせる。
ｅ．手摺り１を上から軽く叩いて、嵌合が十分となるようにする。
ｆ．手摺り１の左右両端部を、親柱２０や壁に固定する。
【０００７】
階段の手摺り１は、作業上の安全のため、可能な限り短期間で取付けることが好ましいが、上記のような施工上の煩雑さがあるため取付けに多大の時間を要し、そのため他の作業に支障が生じる場合もあった。
【０００８】
取付けに多大の工時間を要する具体的な理由は、以下の通りである。
（１）子柱の後付けができない。
手摺りを、親柱と子柱を施工した後に取付ける必要があり、かつ、全ての子柱（通常の階段では１２〜２４本）の上端部をほぼ同時に手摺りの裏面に開けたホゾ孔に嵌合しなければならない。この作業は手摺りを浮かせた状態で、子柱の上端部を一つずつ確実に嵌合していかなければならないので、極めて面倒であり、多くの時間を要する。
【０００９】
従来、こうした問題を解決するために、手摺りを先に取付けた後、伸縮式の子柱を縮めた状態で取付け、伸長させる手段が提案されている（例えば、特許文献１、２、３、４参照）。
【特許文献１】特開平０６−２８０３６６号公報
【特許文献２】実開昭６０−７３７２６号公報
【特許文献３】実開昭５６−１５７２４１号公報
【特許文献４】実公平０７−２１７０２号公報
【００１０】
しかし、こうした手段は、取付け自体は簡単となる反面、多数の金具が必要であり、構造も複雑で、調整範囲が狭く、長年の使用で次第に緩んで子柱が脱落する恐れがある。
【００１１】
また、手摺りの裏面やボーダーに溝を設け、子柱を斜めに滑らせて取り付け、後で溝に埋め木を埋設する手段も提案されている（例えば、特許文献５、６、７参照）。
【特許文献５】実用新案登録第２５９８３１４号
【特許文献６】特開昭５４−１４６４２７号公報
【特許文献７】特開平０９−２５６５８６号公報
【００１２】
こうした手段は、手摺りの裏面やボーダーに溝が必要であり、手摺りを取付けた後、この溝を埋設する面倒な作業が必要となる。また、溝を埋設すると、その部分が外観面として現れるため見栄えを損なう恐れもある。
従って、子柱を、簡単な構造とし後付けすることができれば、手摺りの取付けを外観を損なうことなく容易かつ短時間で行うことができることになる。
【００１３】
（２）子柱と手摺りとの間に隙間が生じ易い。
木製の手摺りは、工業的に生産された集成材であっても、水分の変動等で多少の伸縮や反り等の寸法変化を生じ易い。子柱の長さを設計通りに正確に切断加工した場合でも、これらの寸法変化に対応できない場合があり、その場合は隙間が形成され外観性を損なう。例えば、従来の子柱は、特許文献２乃至４に記載の伸縮式や、特許文献６および７などのように手摺りの裏面に溝を設置した場合以外は殆ど、隙間の変化に対応できなかった。この点も、手摺りの取付けに大きく影響を及ぼす。
【００１４】
（３）ホゾ加工が困難である。
階段の傾斜に合わせて、手摺りと子柱のホゾを斜めに加工しなければならないので、現場で多大の手間を必要とする。また、加工精度が悪いと隙間が目立ち外観性を損なう。
【００１５】
こうした問題を解決するために、手摺りに金具を取り付け、これに子柱を取り付ける手段が提案されている（例えば、特許文献８参照）。
【特許文献８】実公平０５−５９６３号公報  しかし、この手段は、金具が露出して外観性を損ない、木製の手摺りにおいて違和感が現出されてしまい易い。
【００１６】
また、子柱の下端部にボーダーとの隙間を塞ぐ蓋状の覆いを設けた手段もあるが（例えば、特許文献９、１０参照）、いわゆる「隙間隠し」の手法であり外観上好ましくない。
【特許文献９】実開昭５７−１０１２２５号公報
【特許文献１０】実公平０７−１５９５０号公報
【００１７】
さらに、ホゾを着脱式のダボとしたものもあるが（例えば、特許文献１１参照）、これは、階段の傾斜に合わせて定規を設置した鋸で切断すれば正確に傾斜角に合わせることが可能ではあるものの、手摺りとボーダーとの間隔が変化した場合には隙間となってしまう恐れがある。
【特許文献１１】実開昭６２−１１９３７号公報
【００１８】
（４）木材の不良率が高い。
前述したように木材は「生物」なので、全長１ｍ程度の中でも、割れ、節、変色、ピンホールその他の欠点が存在することがある。こういった場合、欠点の場所や程度によってはそれが１箇所だけでも不良品となる。補修や塗装で目立たなくすることも可能であるが、万全ではない。通常、５〜１０％程度は不良品となっている。こうした点も、手摺りの取付けに大きく影響する。
【００１９】
（５）多くの種類が必要となる。
一つの形状で一つの型にしか対応できないので、おのずと多数の形状を準備しておかなければならず、在庫数も多く必要となる。例えば、１枚の踏み板上に２本ずつ子柱を立設する場合は、傾斜している手摺りに対応させるために長さの異なる２本の子柱を必要とする。これも、手摺りの取付けに悪影響を及ぼす。
【００２０】
（６）分留りが悪く、加工が面倒である。
例えば、上下両端部が角断面、中央部分が円断面の場合は、加工時に削り落とされる部分が多く、分留りが悪くなる。しかも、一旦、角断面に加工後、あらためて円断面に加工しなければならないので、極めて面倒な加工を必要とする。
【発明の開示】
【発明が解決しようとする課題】
【００２１】
そこで、本発明の目的とするところは、後付けを可能とした子柱、およびその子柱を使用して手摺りを容易かつ短時間で取付けることのできる方法を提供することにある。
【課題を解決するための手段】
【００２８】
上記の目的を達成するために、本発明の手摺りの取付方法は、上端部（１１ａ）が、階段用の傾斜した手摺り（１）の下面に形成したホゾ穴（Ｈ）に嵌入すると共に、下端部（１１ｂ）が、踏み板（４）または踏み板（４）に隣接して設けられたボーダー（５）の上面に形成したホゾ穴（Ｈ）に嵌入する子柱本体（１１）と、該子柱本体（１１）の円柱形状の略上半部に昇降自在及び回転自在に嵌装された筒状で、しかも上端面を前記手摺り（１）の傾斜角度に対応した傾斜面とした上部装飾部材（１２）と、円柱形状の略下半部に昇降自在及び回転自在に嵌装された筒状の下部装飾部材（１３）を備え、さらに前記上部装飾部材（１２）を、前記子柱本体（１１）から上方に抜き出し可能にし、前記上部装飾部材（１２）を前記子柱本体（１１）から抜き出して前記上部装飾部材（１２）の上端面を前記手摺り（１）の傾斜角度に対応した傾斜面に切断した後、前記上部装飾部材（１２）を前記子柱本体（１１）に嵌装させてなる子柱（１０）を使用して階段の手摺り（１）を取付ける方法であって、
階上と階下のそれぞれに親柱（３）を立設して、該二本の親柱（３）の間に、下面の所定箇所に複数のホゾ穴（Ｈ）を形成した手摺り（１）を掛け渡して取付けた後、
前記子柱本体（１１）の上端部（１１ａ）を、前記手摺り（１）のホゾ穴（Ｈ）に嵌入した後、前記子柱本体（１１）の下端部（１１ｂ）を前記踏み板（４）またはボーダー（５）のホゾ穴（Ｈ）に嵌入して、前記子柱（１０）を前記手摺り（１）と踏み板（４）またはボーダー（５）との間に取付け、
前記上部装飾部材（１２）を上側に持ち上げるように移動するとともに回転してその上部装飾部材（１２）の上端面を手摺り（１）の下面の傾斜角度に対応した位置決め調整を行って、前記手摺り（１）の下面に固定すると共に、前記下部装飾部材（１３）を下側に下げるように移動してその下部装飾部材（１３）の下端面を踏み板（４）またはボーダー（５）の上面に固定してなることを特徴とする。
【００２９】
また、請求項２に記載の手摺りの取付方法は、上端部（１１ａ）が、階段用の傾斜した手摺り（１）の下面に形成したホゾ穴（Ｈ）に嵌入すると共に、下端部（１１ｂ）が、踏み板（４）または踏み板（４）に隣接して設けられたボーダー（５）の上面に形成したホゾ穴（Ｈ）に嵌入する子柱本体（１１）と、該子柱本体（１１）の円柱形状の略上半部に昇降自在及び回転自在に嵌装された筒状で、しかも上端面を前記手摺り（１）の傾斜角度に対応した傾斜面とした上部装飾部材（１２）と、円柱形状の略下半部に昇降自在及び回転自在に嵌装された筒状の下部装飾部材（１３）を備え、さらに前記上部装飾部材（１２）を、前記子柱本体（１１）から上方に抜き出し可能にし、前記上部装飾部材（１２）を前記子柱本体（１１）から抜き出して前記上部装飾部材（１２）の上端面を前記手摺り（１）の傾斜角度に対応した傾斜面に切断した後、前記上部装飾部材（１２）を前記子柱本体（１１）に嵌装させてなる子柱（１０）を使用して階段の手摺り（１）を取付ける方法であって、
階下に親柱（３）を立設するとともに、階上の壁（５０）に台座（５１）を取付け、前記親柱（３）と台座（５１）の間に、下面の所定箇所に複数のホゾ穴（Ｈ）を形成した手摺り（１）を掛け渡して取付けた後、
前記子柱本体（１１）の上端部（１１ａ）を、前記手摺り（１）のホゾ穴（Ｈ）に嵌入した後、前記子柱本体（１１）の下端部（１１ｂ）を前記踏み板（４）またはボーダー（５）のホゾ穴（Ｈ）に嵌入して、前記子柱（１０）を前記手摺り（１）と踏み板（４）またはボーダー（５）との間に取付け、
前記上部装飾部材（１２）を上側に持ち上げるように移動するとともに回転してその上部装飾部材（１２）の上端面を手摺り（１）の下面の傾斜角度に対応した位置決め調整を行って、前記手摺り（１）の下面に固定すると共に、前記下部装飾部材（１３）を下側に下げるように移動してその下部装飾部材（１３）の下端面を踏み板（４）またはボーダー（５）の上面に固定してなることを特徴とする。
【００３１】
なお、カッコ内の記号は図面および後述する発明の実施の形態に記載された対応要素または対応事項を示す。
【発明の効果】
【００３２】
本発明によれば、子柱本体の略上半部に昇降自在に筒状の上部装飾部材を嵌装し、さらに子柱本体の略下半部に昇降自在に同じく筒状の下部装飾部材を嵌装したので、階上と階下に立設した二本の親柱の間に手摺りを掛け渡して取付けた後に、手摺りと階段の踏み板との間、または手摺りとボーダーとの間に当該子柱を取付けることができる。従って、手摺りの取付けを容易かつ短時間で行うことができる。
すなわち、従来のように、すべての子柱を立設した後、それらの上端部に形成した複数のホゾを、手摺りの下面に形成した複数のホゾ穴に合わせて取付けるといった面倒な工程を必要としないので、短時間で容易に取付けることができる。なお、子柱を取付ける前に手摺りを取付けるので、手摺りとしての機能を早期に発揮させることができ、安全性の点からも好ましい。
【００３３】
また、本発明は、以下の効果を併せて発揮する。
（１）子柱と手摺りおよび踏み板（あるいはボーダー）との間に隙間が生じない。
子柱本体を手摺りおよび踏み板（あるいはボーダー）の間に取付けた後、上部装飾部材の上端面を手摺りの下面に固定し、下部装飾部材の下端面を踏み板（あるいはボーダー）の上面に固定するので、手摺りおよび踏み板（あるいはボーダー）に形成したホゾ穴を完全に覆い隠すことができる。従って、ホゾ穴と手摺りとの間の隙間が視覚されない。
【００３４】
（２）ホゾを形成する必要がない。
子柱本体は、その上端部と下端部をホゾ穴に嵌入するので、ホゾを形成する必要がない。また、手摺りおよび踏み板（またはボーダー）に形成するホゾ穴は、子柱本体が円柱形状の場合は、それに対応して単純形状の丸穴で良い。従って、ホゾ穴の形成もきわめて容易である。
また、少なくとも上部装飾部材は、通常、手摺りの傾斜に合わせて斜めに切断する必要があるが、例えば、図１０に示すように、子柱本体から抜き出して切断することができるので、施工現場での加工が容易である。
【００３５】
（３）不良率が低い。
外観に現れる子柱本体と上部装飾部材および下部装飾部材は、それぞれ別体成形するので小型であり、欠陥を除いた端材からでも成形することができる。従って、完全無欠点の木材でなくても使用可能であり、不良率が低くなる。例えば、上部装飾部材および下部装飾部材は、多少の割れや変色程度ならば何ら支障なく使用できる。
【００３６】
（４）組合わせによって多種の子柱を成形できる。
同一の踏み板上に２本ずつ子柱を立設する場合、２本の長さが異なっても、一方の子柱本体の長さを短く切断して、上部装飾部材および下部装飾部材の位置を移動すれば容易に対応できる。
また、従来のように単一材料から製造された子柱では１種類しか対応できないが、本発明では、子柱本体と上部装飾部材および下部装飾部材をそれぞれ異なった樹種、材質、色別の材料から製造することもできる。例えば、従来は同一材質の同一色を用いていたが、子柱本体と上部装飾部材および下部装飾部材の色や樹種を意図的に変更したり、金属やプラスチック材料を木目仕上げにして用いることもできる。従って、組合わせによって、あらゆる種類の子柱を成形することができる。
【００３７】
（５）分留りが高く、加工が容易である。
例えば、子柱本体を円柱形状とし、上部装飾部材および下部装飾部材を角筒形状とする場合、両者は別工程で製造するので、それぞれを最良の分留りでの木取りが可能である。従って、木材の無駄が減少する。また、それぞれを別の装置で製造するので、同一材を複数の加工装置にて加工する必要がなく、加工作業が容易となる。
【００３９】
また、本発明によれば、子柱の上部装飾部材が嵌装する略上半部を円柱形状としたので、当該上部装飾部材を自在に回転させることができる。
従って、当該上部装飾部材を固定する際の位置決め調整を容易に行うことができ、手摺りの取付けをさらに容易かつ短時間で行うことができる。
【００４１】
さらに、請求項１に記載の手摺りの取付方法によれば、二本の親柱の間に手摺りを掛け渡して取付けた後、子柱を手摺りと踏み板またはボーダーとの間に取付け、その後、上部装飾部材の上端面を手摺りの下面に固定すると共に、下部装飾部材の下端面を踏み板またはボーダーの上面に固定するので、手摺りを容易に短時間で取付けることができる。
すなわち、従来のように、複数の子柱を取付けた後に、それらの上端部に形成したホゾを、手摺りの下面に形成した複数のホゾ穴に合わせて嵌め込むといったきわめて厄介な作業を必要としないので、取付けが容易であり、かつ短時間で行うことができる。また、親柱を取付けた直後に手摺りを取付けるので、手摺りとしての機能を早期に確保することができ、安全性にも優れる。
【００４２】
また、請求項２に記載の手摺りの取付方法によれば、請求項１のように、手摺りを二本の親柱の間に掛け渡して取付けるのではなく、手摺りを階下に立設した一本の親柱と、階上の壁に取付けられた台座との間に掛け渡して取付ける場合であっても、請求項１のように、従来のように、複数の子柱を取付けた後に、それらの上端部に形成したホゾを、手摺りの下面に形成した複数のホゾ穴に合わせて嵌め込むといったきわめて厄介な作業を必要としないので、取付けが容易であり、かつ短時間で行うことができる。また、親柱を取付けた直後に手摺りを取付けるので、手摺りとしての機能を早期に確保することができ、安全性にも優れる。
【発明を実施するための最良の形態】
【００４４】
図１乃至図９を参照して本発明の実施形態に係る手摺り用子柱１０について説明する。図１は、当該子柱１０を取付けた階段の手摺り１を示す斜視図である。また、図２は、本発明の実施形態に係る子柱１０を示す斜視図であり、図３は、図２に示す子柱１０の分解斜視図である。従来例で示したものと同一部分には同一符号を付した。
【００４５】
この手摺り用子柱１０は、木造住宅の階段において、階上（２階）と階下（１階）に立設した二本の親柱の間に手摺り１を掛け渡して取付けた後に、取付けられた手摺り１と階段の踏み板４との間に取付けられるものであり、子柱本体１１、上部装飾部材１２および下部装飾部材１３とで構成される。なお、子柱１０は、図４に示すように、踏み板４に隣接して設けられたボーダー５に取り付けることもできる。
【００４６】
子柱本体１１は、その全体を略円柱形状とし、上端部１１ａが手摺り１の下面に形成したホゾ穴Ｈに嵌入すると共に、下端部１１ｂが踏み板４（またはボーダー５）の上面に形成したホゾ穴Ｈに嵌入する。また、上部装飾部材１２は、子柱本体１１の略上半部に昇降自在に嵌装された筒状であり、下部装飾部材１３は、子柱本体１１の略下半部に昇降自在に嵌装された同じく筒状である。
【００４７】
そして、図６乃至図９に示すように、上部装飾部材１２は、子柱本体１１を手摺り１と踏み板４またはボーダー５との間に取付けた後において、上側に持ち上げるように移動してその上端面が手摺り１の下面に固定されるものであり、下部装飾部材１３は、下側に下げるように移動してその下端面が踏み板４またはボーダー５の上面に固定されるものである。
【００４８】
本実施形態においては、子柱本体１１の上部装飾部材１２と下部装飾部材１３が嵌装する略上半部と略下半部を円柱形状とし、当該上部装飾部材１２および下部装飾部材１３の双方を角筒形状としている。なお、上部装飾部材１２および下部装飾部材１３のうち一方のみを角筒形状とすることもできる。
【００４９】
こうした子柱１０は有する手摺り１は、本実施形態に係る手摺りの取付方法によって取付けることができる。
すなわち、まず、図５に示すように、階上（２階）と階下（１階）のそれぞれに親柱３を立設した後、当該二本の親柱３の間に、下面の所定箇所に複数のホゾ穴Ｈを形成した手摺り１を掛け渡して取付ける。
続いて、図６に示すように子柱本体１１の上端部１１ａを手摺り１のホゾ穴Ｈに嵌入した後、下端部１１ｂを踏み板４のホゾ穴Ｈに嵌入し、当該子柱１０を手摺り１と踏み板４の間に取付ける。
そして、図７に示すように、上部装飾部材１２を持ち上げてその上端面を手摺り１の下面に釘や接着剤によって固定すると共に、下部装飾部材１３を下げてその下端面を踏み板４の上面に同じく釘や接着剤によって固定する。これによって、図１に示す手摺り１とすることができる。なお、子柱１０をボーダー５に取付ける場合にも、図８および図９に示すように同様の手順で行う。
【００５０】
この子柱１０および手摺りの取付方法においては、手摺り１を取付けた後に子柱１０を取付けるので、従来のように、すべての子柱１０を立設した後、そられの上端部に形成したホゾＴを、手摺り１の下面に形成した複数のホゾ穴Ｈに合わせて取付けるといったきわめて面倒な工程を必要としない。従って、短時間で容易に取付けることができる。また、子柱１０を取付ける前に手摺り１を取付けるので、手摺り１としての機能を早期に発揮させることができ、安全性の点からも好ましい。
【００５１】
また、本実施形態では、子柱１０の略上半部と略下半部を円柱形状としたので、そこに嵌装する上部装飾部材１２および下部装飾部材１３を自在に回転させることができ、上部装飾部材１２および下部装飾部材１３を固定する際の位置決め調整を容易に行うことができる。従って、手摺り１の取付けをさらに容易かつ短時間で行うことができる。
【００５２】
さらに、本実施形態では、上部装飾部材１２および下部装飾部材１３の双方を角筒形状としているので略円柱形状の子柱本体１１との相対効果によって高い装飾性を発揮する。
【００５３】
なお、子柱１０は、その下端部１１ｂを階段の踏み板４に取付ける場合は、図６および図７に示すように、下部装飾部材１３の下端面を水平面とし、ボーダー５に取付ける場合には、図８および図９に示すように傾斜面とする必要がある。また、上部装飾部材１２の上端面は、通常、図６乃至図９に示すように手摺り１の傾斜角度に対応した傾斜面とする必要がある。
【００５４】
なお、本実施形態に係る手摺り用子柱１０は、以下の効果を併せて発揮する。
（１）子柱１０と手摺り１および踏み板４（あるいはボーダー５）との間に隙間が生じない。
子柱本体１１を手摺り１および踏み板４の間に取付けた後に、上部装飾部材１２の上端面を手摺り１の下面に固定し、下部装飾部材１３の下端面を踏み板４等の上面に固定するので、手摺り１および踏み板４等に形成したホゾ穴Ｈを完全に隠すことができる。従って、ホゾ穴Ｈと手摺り１との間の隙間が外から見えない。
【００５５】
（２）ホゾを形成する必要がない。
子柱本体１１は、その上端部１１ａと下端部１１ｂをホゾ穴Ｈに嵌入するので、ホゾＴを形成する必要がない。また、手摺り１および踏み板４に形成するホゾ穴Ｈは、子柱本体１１が円柱形状の場合は、それに対応して単純形状の丸穴で良い。従って、ホゾ穴Ｈの形成もきわめて容易である。
また、少なくとも上部装飾部材１２は、通常、手摺り１の傾斜に合わせて斜めに切断する必要があるが、図１０に示すように、子柱本体１１から抜き出して切断することができるので、施工現場での加工を容易に行うことができる。
【００５６】
（３）不良率が低い。
外観に現れる子柱本体１１と上部装飾部材１２および下部装飾部材１３は、それぞれ別体成形するので小型であり、欠陥を除いた端材からでも成形することができる。従って、完全無欠点の木材でなくても使用可能であり、不良率が低下する。
【００５７】
（４）組合わせによって多種の子柱１０を成形できる。
同一の踏み板４上に２本ずつ子柱１０を立設する場合、２本の長さが異なっても、一方の子柱本体１１の長さを短く切断して、上部装飾部材１２および下部装飾部材１３の位置を移動すれば容易に対応できる。
また、子柱本体１１と上部装飾部材１２および下部装飾部材１３をそれぞれ異なった樹種、材質、色別の材料から製造することもできる。例えば、子柱本体１１と上部装飾部材１２および下部装飾部材１３の色や樹種を意図的に変更したり、金属やプラスチック材料を木目仕上げにして用いることもできる。従って、組合わせによって、あらゆる種類の子柱１０を成形することができる。
【００５８】
（５）分留りが高く、加工が容易である。
例えば、子柱本体１１を円柱形状とし、上部装飾部材１２および下部装飾部材１３を角筒形状とする場合、両者は別工程で製造するので、それぞれを最良の分留りでの木取りが可能である。従って、木材の無駄が減少する。また、それぞれを別の装置で製造するので、同一材を複数の加工装置にて加工する必要がなく、加工作業が容易となる。
【００５９】
なお、本実施形態に係る手摺り用子柱１０は、図１に示したように、階上と階下のそれぞれに立設した二本の親柱３間に掛け渡して取付けた手摺り１と、踏み板４またはボーダー５との間に取付けるようにしたが、図１１に示すように、階下に立設した一本の親柱３と、階上の壁５０に取付けられた台座５１との間に掛け渡して取付けた手摺り１と、踏み板４またはボーダー５との間に取付けるようにすることもできる。
【００６０】
また、本実施形態に係る手摺り用子柱１０は、図１乃至図１１に示したように、階段用の手摺りに適用した場合を示したが、図１２乃至図１４に示すように、バルコニーや吹き抜け部分に設置される手摺りに対しても適用することができる。
すなわち、この場合の手摺り用子柱１０は、バルコニーや吹き抜け部分で設置される手摺り１と、その手摺り１下部の床面７０に設置された基台７１との間に取付けることのできる子柱であって、上端部１１ａが、前記手摺り１の下面に形成したホゾ穴Ｈに嵌入すると共に、下端部１１ｂが、前記基台７１の上面に形成したホゾ穴Ｈに嵌入する子柱本体１１と、前記子柱本体１１の略上半部に昇降自在に嵌装され、上側への移動によりその上端面を、前記手摺り１の下面に固定可能な筒状の上部装飾部材１２と、さらに、前記子柱本体１１の略下半部に昇降自在に嵌装され、下側への移動によりその下端面を、前記基台７１の上面に固定可能な筒状の下部装飾部材１３を備えるものである。
【００６１】
また、その手摺りの取付方法は、上端部１１ａが、バルコニーや吹き抜け部分で設置される手摺り１の下面に形成したホゾ穴Ｈに嵌入すると共に、下端部１１ｂが、前記手摺り１下部の床面７０に設置された基台７１の上面に形成したホゾ穴Ｈに嵌入する子柱本体１１と、該子柱本体１１の略上半部に昇降自在に嵌装された筒状の上部装飾部材１２と、略下半部に昇降自在に嵌装された筒状の下部装飾部材１３を備える子柱１０を使用して手摺り１を取付ける方法であって、
図１２に示したように、立設された二本の親柱３の間，あるいは、図１３に示したように、立設された一本親柱３と壁５０に取付けられた台座５１の間，あるいは、隣接する壁５０にそれぞれ取付けられた台座５１の間に、下面の所定箇所に複数のホゾ穴Ｈを形成した手摺り１を掛け渡して取付けた後、前記子柱本体１１の上端部１１ａを、前記手摺り１のホゾ穴Ｈに嵌入した後、前記子柱本体１１の下端部１１ｂを前記基台７１のホゾ穴Ｈに嵌入して、前記子柱１０を前記手摺り１と基台７１との間に取付け、前記上部装飾部材１２を上側に持ち上げるように移動してその上端面を手摺り１の下面に固定すると共に、前記下部装飾部材１３を下側に下げるように移動してその下端面を基台７１の上面に固定するものである。
【００６２】
また、本実施形態に係る手摺り用子柱１０では、上部装飾部材１２を、子柱本体１１の略上半部に昇降自在に嵌装し、さらに、下部装飾部材１３を、子柱本体１１の略下半部に昇降自在に嵌装するようにしたが、下部装飾部材１３については、子柱本体１１に固定し、上部装飾部材１２だけを子柱本体１１の略上半部で昇降自在にして、上部装飾部材１２によって手摺り１との隙間を埋めるようにするようにしてもよい。
【産業上の利用可能性】
【００６３】
本発明に係る子柱は、階段の手摺りだけでなく、手摺りに似た格子状装飾材等にも適用できる。また、この子柱は、手摺りを取付け後に取り付けることができるので、その利点を生かして、新築物件のみならず、既存の手摺りの子柱が破損等で交換する必要がある場合にも適用することができる。
【図面の簡単な説明】
【００６４】
【図１】本発明の実施形態に係る子柱を取付けた階段の手摺りを示す斜視図である（踏み板に取付けたもの）。
【図２】本発明の実施形態に係る子柱を示す斜視図である。
【図３】図２に示す子柱の分解斜視図である。
【図４】本発明の実施形態に係る子柱を取付けた階段の手摺りを示す斜視図である（ボーダーに取付けたもの）。
【図５】本発明の実施形態に係る手摺りの取付方法を示す説明図である（子柱を取付ける前の状態を示す）。
【図６】本発明の実施形態に係る手摺りの取付方法を示す説明図である（子柱を踏み板に取付ける状態を示す）。
【図７】本発明の実施形態に係る手摺りの取付方法を示す説明図である（子柱を踏み板に取付け終わった状態を示す）。
【図８】本発明の実施形態に係る手摺りの取付方法を示す説明図である（子柱をボーダーに取付ける状態を示す）。
【図９】本発明の実施形態に係る手摺りの取付方法を示す説明図である（子柱をボーダーに取付け終わった状態を示す）。
【図１０】本発明の実施形態に係る手摺りにおいて、上部装飾部材を切断する状態を示す説明図である。
【図１１】本発明の実施形態に係る子柱を取付けた階段の手摺りを示す斜視図である（親柱と壁の間に設けた手摺りとボーダーとの間に取付けたもの）。
【図１２】本発明の別の実施形態に係る子柱を取付けた階段の手摺りを示す正面図である（親柱間に設けた手摺りと基台との間に取付けたもの）。
【図１３】本発明の別の実施形態に係る子柱を取付けた階段の手摺りを示す正面図である（親柱と壁の間に設けた手摺りと基台との間に取付けたもの）。
【図１４】本発明の別の実施形態に係る子柱を取付けた階段の手摺りを示す正面図である（隣接する壁の間に設けた手摺りと基台との間に取付けたもの）。
【図１５】従来例に係る子柱を示す斜視図である。
【図１６】従来例に係る手摺りの取付方法を示す説明図である。
【符号の説明】
【００６５】
１          手摺り
３          親柱
４          踏み板
５          ボーダー
１０          子柱
１１          子柱本体
１１ａ        上端部
１１ｂ        下端部
１２          上部装飾部材
１３          下部装飾部材
２０          親柱
３０          子柱
５０          壁
５１          台座
７０          床面
７１          基台
Ｔ          ホゾ
Ｈ          ホゾ穴
【図１】
0005514392.tif 000002
【図２】
0005514392.tif 000003
【図３】
0005514392.tif 000004
【図４】
0005514392.tif 000005
【図５】
0005514392.tif 000006
【図６】
0005514392.tif 000007
【図７】
0005514392.tif 000008
【図８】
0005514392.tif 000009
【図９】
0005514392.tif 000010
【図１０】
0005514392.tif 000011
【図１１】
0005514392.tif 000012
【図１２】
0005514392.tif 000013
【図１３】
0005514392.tif 000014
【図１４】
0005514392.tif 000015
【図１５】
0005514392.tif 000016
【図１６】
0005514392.tif 000017